(57)【特許請求の範囲】
【請求項１】
複数種類のデジタル信号が、それぞれブロック同期符号と、識別データとが付加されたブロック構造とされるが、ブロックの大きさや前記識別データの構造が前記デジタル信号の種類によっては異にされて記録されている記録媒体であって、外部基準信号を基準にして識別可能な別々の記録エリアに前記複数種類のデジタル信号が記録されている記録媒体から、前記記録媒体に対して相対的に移動するヘッドにより前記デジタル信号をピックアップして再生する装置において、
前記外部基準信号または前記外部基準信号に同期した信号から、前記複数種類のデジタル信号のそれぞれの記録媒体上での記録エリアに対応するエリア信号を形成するエリア信号形成手段と、
再生デジタル信号が供給され、各デジタル信号の種類に応じた前記ブロック同期符号の検出処理を、前記エリア信号形成手段からのエリア信号に基づいて切り換えて行なう同期符号検出回路と、
この同期符号検出回路の後段に設けられ、前記同期符号の検出出力と前記再生デジタル信号とが供給され、前記ブロック毎の前記識別データの処理を、前記エリア信号形成手段からのエリア信号に基づいて切り換えて行なう識別データ処理回路と
を備えることを特徴とするデジタル信号の再生装置。
【請求項２】
複数種類のデジタル信号が、それぞれブロック同期符号と、識別データとが付加されたブロック構造とされるが、ブロックの大きさや前記識別データの構造がデジタル信号の種類によっては異にされて記録されている記録媒体から前記デジタル信号を再生する装置において、
再生デジタル信号が供給され、各デジタル信号の種類に応じた前記ブロック同期符号の検出処理を、これに供給される切り換え信号に応じて切り換えて行なうようにする同期符号検出回路と、
この同期符号検出回路の後段に設けられ、前記同期符号の検出出力と前記再生デジタル信号とが供給され、前記ブロック毎の前記識別データの処理を、これに供給される切り換え信号に応じて切り換えて行なうようにする識別データ処理回路と、
前記識別データ処理回路での識別データのデコード結果から、前記デジタル信号の種類を判別し、この判別結果に応じて前記切り換え信号を形成して前記同期符号検出回路および識別データ処理回路に供給する判別回路と
を備えることを特徴とするデジタル信号の再生装置。
【請求項３】
請求項２に記載のデジタル信号の再生装置において、
前記判別回路は、以前の識別データのデコード結果から前記デジタル信号の種類を予想する回路を備え、前記識別データのデコード結果と、前記予想結果とからデジタル信号の種類を判別するようにしたことを特徴とするデジタル信号の再生装置。
【請求項４】
複数種類のデジタル信号が、それぞれブロック同期符号と、識別データとが付加されたブロック構造とされるが、ブロックの大きさや前記識別データの構造が前記デジタル信号の種類によっては異にされて記録されている記録媒体であって、外部基準信号を基準にして識別可能な別々の記録エリアに前記複数種類のデジタル信号が記録されている記録媒体から、前記記録媒体に対して相対的に移動するヘッドにより前記デジタル信号をピックアップして再生する装置において、
前記外部基準信号または前記外部基準信号に同期した信号から、前記複数種類のデジタル信号のそれぞれの記録媒体上での記録エリアに対応するエリア信号を形成するエリア信号形成手段と、
前記識別データ処理回路での識別データのデコード結果から、前記デジタル信号の種類を判別し、この判別結果に応じて前記エリア信号に対応する信号を形成する判別回路と、
再生デジタル信号が供給され、各デジタル信号の種類に応じた前記ブロック同期符号の検出処理を、切り換え制御信号に基づいて切り換えて行なう同期符号検出回路と、
この同期符号検出回路の後段に設けられ、前記同期符号の検出出力と前記再生デジタル信号とが供給され、前記ブロック毎の前記識別データの処理を、前記切り換え制御信号に基づいて切り換えて行なう識別データ処理回路と、
変速再生時には前記エリア信号形成手段からのエリア信号を選択し、ノーマル再生時には前記判別回路からの前記エリア信号に対応する信号を選択し、選択した信号を前記切り換え信号として前記同期符号検出回路および前記識別データ処理回路に供給する選択回路と
を備えるデジタル信号の再生装置。
【発明の詳細な説明】
【０００１】
【産業上の利用分野】
この発明は、例えば、デジタルＶＴＲの再生系に適用して好適なデジタル信号の再生装置に関する。
【０００２】
【従来の技術】
ビデオ信号やオーディオ信号をデジタル信号として記録し、再生する場合、所定データ数ごとにブロック化して記録再生する方法が、よく用いられる。この場合に、各ブロックのデータには、同期符号ＳＹＮＣ、ブロックごとの識別データ（以下、識別データをＩＤデータという）およびエラー訂正符号が付加されて、記録再生される。
【０００３】
そして、再生時は、各ブロックごとの同期符号を検出して、当該ブロックの先頭を検出し、これにより、ブロック単位のデータを再生する。そして、各ブロック単位のデータの処理、すなわちＩＤデータをデコードして、そのブロックが何番目のブロックかなどのＩＤ処理を行なうとともに、誤り訂正処理などのデジタル信号処理を行なう。
【０００４】
一般に同期符号を検出する方法としては、通常のオーディオデータやビデオデータに現れないワードパターンを同期信号として採用し、その同期符号とパターンの一致を検出することにより、同期符号の抽出を行なう方法が一般に用いられている。
【０００５】
【発明が解決しようとする課題】
ところで、デジタルデータを記録し、再生する場合において、その対象となるデジタルデータが複数種類の場合、例えば、ビデオデータやオーディオデータ、その付加データとしてのサブコードデータなどからなる場合に、これらの複数種類のデータが、同じデータ構造を有していれば問題ないが、それが異なる場合に問題となる。
【０００６】
すなわち、ブロック化されたデータの構造として、同期符号とＩＤデータを付加したブロック単位のデータとして記録再生することは各信号ごとに同じであるが、各種類の信号に応じて同期パターンが変えられていたり、ＩＤデータのデータ構成が変わっていたり、さらには、１ブロックのデータの大きさが変わっている場合が問題である。
【０００７】
この問題は、それぞれの信号の種類に対応して信号処理系をそれぞれ設けることで対応することができる。つまり、各信号処理系でブロック同期符号の検出を行ない、それに基づいて対応するデータの処理を行なえばよい。
【０００８】
しかしながら、このように各複数種類のデジタルデータに応じて、複数系統の同期符号検出および信号処理系を設けることは、マクロ的には前記複数種類のデジタルデータがブロック化データであって、各ブロックに同期符号と識別データが付加されている構成が同じであるにもかかわらず、それらのデータの共通性を利用した構成となっておらず、非常に構成的に複雑化してしまい、また、装置の価格が高価格となってしまう欠点がある。
【０００９】
この発明は、複数種類のデジタル信号が記録されている記録媒体から再生する装置において、できるだけ回路規模を大きくせず、簡単な構成で、同期符号検出処理およびＩＤ処理などを行なうことができるデジタル信号の再生装置を提供することを目的とする。
【００１０】
【課題を解決するための手段】
この発明の請求項１の発明においては、複数種類のデジタルデータが、それぞれ記録媒体上において、異なる記録エリアに記録されている場合に適用される。この場合に、各デジタルデータの記録エリアは、外部基準信号に基づいて形成されるものであって、再生時は、この外部基準信号、あるいは、この外部基準信号に同期した信号から、各デジタルデータの記録エリアを示す信号を得ることができる。そこで、請求項１の発明においては、この記録エリア信号を用いて、同期符号の検出処理および識別データＩＤの処理を切り換えるようにする。
【００１１】
すなわち、請求項１の発明は、後述する図１の実施例の参照符号と対応付けると、
複数種類のデジタル信号が、それぞれブロック同期符号と、識別データとが付加されたブロック構造とされるが、ブロックの大きさや前記識別データの構造が前記デジタル信号の種類によっては異にされて記録されている記録媒体であって、外部基準信号を基準にして識別可能な別々の記録エリアに前記複数種類のデジタル信号が記録されている記録媒体から、前記記録媒体に対して相対的に移動するヘッドにより前記デジタル信号をピックアップして再生する装置において、
前記外部基準信号または前記外部基準信号に同期した信号から、前記複数種類のデジタル信号のそれぞれの記録媒体上での記録エリアに対応するエリア信号を形成するエリア信号形成手段１０１と、
再生デジタル信号が供給され、各デジタル信号の種類に応じた前記ブロック同期符号の検出処理を、前記エリア信号形成手段からのエリア信号に基づいて切り換えて行なう同期符号検出回路１０２と、
この同期符号検出回路１０２の後段に設けられ、前記同期符号の検出出力と前記再生デジタル信号とが供給され、前記ブロック毎の前記識別データの処理を、前記エリア信号形成手段からのエリア信号に基づいて切り換えて行なう識別データ処理回路１０６、１１１と
を備えることを特徴とする。
【００１２】
請求項２の発明は、デジタルデータの各ブロックごとの識別データＩＤを用いて再生中の信号が、いずれの種類のデジタルデータであるかを検出するものである。
【００１３】
すなわち、後述する図１０の実施例の参照符号と対応付けると、
複数種類のデジタル信号が、それぞれブロック同期符号と、識別データとが付加されたブロック構造とされるが、ブロックの大きさや前記識別データの構造がデジタル信号の種類によっては異にされて記録されている記録媒体から前記デジタル信号を再生する装置において、
再生デジタル信号が供給され、各デジタル信号の種類に応じた前記ブロック同期符号の検出処理を、これに供給される切り換え信号に応じて切り換えて行なうようにする同期符号検出回路１０２と、
この同期符号検出回路１０２の後段に設けられ、前記同期符号の検出出力と前記再生デジタル信号とが供給され、前記ブロック毎の前記識別データの処理を、これに供給される切り換え信号に応じて切り換えて行なうようにする識別データ処理回路１０６と、
前記識別データ処理回路１０６での識別データのデコード結果から、前記デジタル信号の種類を判別し、この判別結果に応じて前記切り換え信号を形成して前記同期符号検出回路および識別データ処理回路に供給する判別回路１３０と
を備えることを特徴とする。
【００１６】
【作用】
請求項１に記載の発明においては、外部基準信号に基づいて形成された記録エリア信号により同期符号検出回路および識別データ処理回路が切り換えられる。したがって、複数種類のデジタルデータであっても、処理回路を各デジタルデータ毎に設ける必要がなく、回路規模の増大を抑制することができる。
【００１７】
請求項２に記載の発明においては、同期符号検出回路および識別データ処理回路の切り換え信号は、識別データを復号化することにより得られるので、記録エリアの切り替わりマージンが小さい場合にも、正確に前記切り換えを行なうことができる。
【００１９】
【実施例】
以下、この発明によるデジタル信号の再生装置を、デジタルＶＴＲの再生系に適用した場合について図を参照しながら説明する。
【００２０】
まず、この例のデジタルＶＴＲについて説明する。
【００２１】
この例のデジタルＶＴＲは、アジマス角が異なり、互いに１８０°の角間隔を隔てて配置された２個の回転ヘッドを有する回転ヘッドドラムを使用する。そして、この回転ヘッドドラムに対して、磁気テープを斜めに、その１８０°弱の回転角分、巻き付け、前記２個の回転ヘッドが、交互に磁気テープ上に斜めのトラックを形成するように走査することにより、ビデオ信号およびオーディオ信号を記録し、再生する。
【００２２】
この場合、２つの回転ヘッドによって記録される２本のトラックを一つのペアとし、５ペアで１フレーム分のビデオ信号およびオーディオ信号を、順次デジタルデータとして記録するようにする。
【００２３】
図２は、この例の場合のデジタルＶＴＲの記録トラックフォーマットを示すものである。図２において、１０は磁気テープであり、ＴＡは一方の回転ヘッドで形成されるトラック、ＴＢはアジマス角が異なる他方の回転ヘッドによって記録されるトラックである。前述したように、トラックＴＡおよびＴＢは、一つのペアとされ、５ペアのトラック、つまり１０本のトラックで、１フレーム分の信号の記録が行なわれる。
【００２４】
そして、オーディオデータとビデオデータとは、１本のトラック上において、記録エリアを異にして記録されている。すなわち、ＡＲ１はオーディオデータの記録エリア、ＡＲ２はビデオデータの記録エリアである。さらに、このデジタルＶＴＲにおいては、ビデオデータおよびオーディオデータのほかに、サブコードデータが記録されるようにされており、これもビデオデータおよびオーディオデータとは異なる記録エリアＡＲ３において、各トラック上に記録される。
【００２５】
なお、図２において、ビデオデータ、オーディオデータおよびサブコードデータとは異なる記録エリアＩＴＩには、再生時の回転ヘッドのトラッキングの引き込み用のパイロット信号が記録されている。
【００２６】
この例のＶＴＲでは、回転ヘッドドラムには、回転ヘッドドラムの一回転当たり、１ないし複数個の基準位相パルスＰＧを発生するパルス発生器が設けられており、このパルス発生器から得られるパルスＰＧは、回転ヘッドの基準位相を示すパルスとなる。記録時および再生時には、このパルスＰＧを基準にして、回転ヘッドの磁気テープに対するトラッキング位相が制御されており、記録時と再生時とで、同一トラッキング条件で、ヘッドがテープ上を走査するように制御されている。
【００２７】
ＩＴＩ、オーディオデータ記録エリアＡＲ１、ビデオデータ記録エリアＡＲ２およびサブコードデータ記録エリアＡＲ３は、パルスＰＧに対して一定の位相関係を有している。このため、記録時と再生時とでは、このパルス発生器からのパルス信号ＰＧと、例えば、ビデオ信号の垂直同期信号との位相同期がとられるとともに、位相サーボ回路が働くようにされて、記録時と再生時とで、同一トラッキング条件で、ヘッドがテープ上を走査するように制御されている。
【００２８】
そして、この例の場合、オーディオデータ、ビデオデータおよびサブコードデータは、外観的には全く同じブロック化構造を有するようになっている。
【００２９】
図３は、このブロック化データの構造を示すものである。すなわち、各ブロックの先頭２バイトは、ブロック同期符号パターンが挿入されている。この同期符号のパターンは、ビデオデータとオーディオデータとでは共通の符号パターンが用いられているが、サブコードデータは異なるパターンの符号が用いられている。
【００３０】
同期符号パターンの後の３バイトは、ＩＤデータである。この３バイトのＩＤデータのうち、初めの１バイトのデータＩＤ０と、２バイト目のデータＩＤ１とが本来のＩＤデータそのものである。そして、最後の１バイトＩＤＰは、これら各１バイトのＩＤデータＩＤ０，ＩＤ１に対するエラー訂正用のパリティである。
【００３１】
ＩＤデータの次は、各種のデジタルデータ、つまり、オーディオデータ、ビデオデータあるいはサブコードデータのうちのいずれかと、そのエラー検出訂正用のパリティとからなる。この部分は、オーディオデータブロック、ビデオデータブロック、サブコードデータブロックの、それぞれにおいて大きさが異なる。
【００３２】
そして、ＩＤデータは、オーディオデータブロックとビデオデータブロックとでは同一のデータ構造を有しているとともに、そのデータ内容も、ほぼ同一である。しかし、サブコードデータブロックについてのＩＤデータは、そのデータ内容が異なる。
【００３３】
図４は、１トラックの記録エリアＡＲ１に記録されるオーディオデータの各ブロックの構造を示している。図５は、同様に１本のトラックの記録エリアＡＲ２に記録されるビデオデータの各ブロックの構造を示している。また、図６は、同様に１トラックの記録エリアＡＲ３に記録されるサブコードデータの各ブロックの構造を示している。なお、図４、図５、図６においては、同期符号とＩＤデータのパリティバイトＩＤＰは省略してある。
【００３４】
前述もしたように、ビデオデータブロックとオーディオデータブロックとは、そのブロックの外観の構造は全く同じであり、また、データ構造も、ほぼ同じである。
【００３５】
すなわち、図４に示すように、オーディオデータは、１本のトラック当たり、ブロックの数にして１７ブロック分が記録される。ＩＤデータの２バイト目のデータＩＤ１が、このトラックの先頭からのブロック番号（シンクブロックナンバー）を示している。そして、ＩＤデータの１バイト目のデータＩＤ０の上位４ビットは、シーケンスナンバーを示すものであり、また、下位４ビットは、トラックＴＡおよびＴＢからなるペアのナンバー（トラックペアナンバー）を示すものである。
【００３６】
つまり、データＩＤ０は、どのフレームの何番目のトラックかを示すデータとなっている。１シーケンスは、１０本のトラック、つまり５ペアのトラックからなる１フレーム分のデータに対応する。したがって、トラックペアナンバーは、０〜４までの５通りである。
【００３７】
そして、記録エリアＡＲ１に記録されるオーディオデータにおいては、最初の２ブロックは、プリアンブル信号が、そのデータとして含まれる、いわゆるプリシンクブロックと呼ばれるものであり、ブロック長は６バイトである。つまり、ブロック同期符号が１バイト、ＩＤデータが３バイト、プリシンクブロックデータ２バイトの６バイトからなる。
【００３８】
プリシンクブロックは、ブロックナンバー「０」と「１」である。このプリシンクブロックのＩＤワードＩＤ０の上位４ビットには、シーケンスナンバー「０」（Ｓｅｑ０）が挿入されているとともに、これがオーディオデータであることを示すデータＡＰ１を含むものとなっている。ブロックナンバー「２」から「１０」までが、実際のオーディオデータである。また、ブロックナンバー「１１」から「１５」までは、オーディオデータのエラー訂正用のパリティデータのブロックとされている。これらブロックナンバー「２」から「１５」までのブロックのブロック長は、それぞれ９０バイトである。
【００３９】
最後のブロックナンバー「１６」のブロックは、当該データの終りを示すデータであるポストシンクブロックである。このポストシンクブロックも、プリシンクブロックと同様にブロック長は６バイトである。なお、パリティデータとポストシンクブロックのＩＤワードＩＤ０にも、これらがオーディオデータであることを示すためのアプリケーションデータＡＰ１が含まれる。
【００４０】
図５に示すビデオデータの１トラックあたりのブロックデータも、オーディオデータとほぼ同じ構成を有するもので、最初の２ブロックは、ブロック長が６バイトのプリシンクブロックであり、最後の１ブロックは、ポストシンクブロックであり、ブロック長は６バイト分である。そして、プリシンクブロックからポストシンクブロックまでの間のブロックは、それぞれが９０バイトのブロック長のビデオデータブロックとエラー訂正用のパリティデータブロックである。
【００４１】
そして、プリシンクブロックとパリティデータブロックおよびポストシンクブロックのＩＤデータの１バイトのデータＩＤ０の上位４ビットに、これらのブロックデータがビデオデータに関するブロックであることを示すアプリケーションデータＡＰ２が含まれる。
【００４２】
記録エリアＡＲ２のビデオデータのブロックナンバーは、１トラックについてオーディオデータのブロックナンバーからの通し番号が用いられ、ブロックナンバー「１７」からブロックナンバー「１６８」までが、ビデオデータのブロックナンバーである。そして、ビデオデータは、ナンバー「１９」のブロックからナンバー「１６７」までのブロックに収められ、そのうち、ブロックナンバー「１５７」からブロックナンバー「１６７」までが、エラー訂正用のパリティデータのブロックとなっている。
【００４３】
以上のように、オーディオデータとビデオデータとは、各ブロックの構造が、ほぼ同一であり、プリシンクブロックおよびポストシンクブロックも同様に有するものであるので、これら２種類のデータについての同期符号検出処理およびＩＤデータの処理は、その他のデータ処理は共通化することができる。ただし、ブロック長がプリシンクブロックの部分およびポストシンクブロックの部分と、オーディオデータブロックおよびパリティデータブロック、さらにはビデオデータブロックおよびパリティデータブロックとは異なる点には注意しなければならない。
【００４４】
以上のようなオーディオデータのブロック構造およびビデオデータのブロック構造に対して、サブコードのブロック構造は、ＩＤデータの構造が全く異なる。ただし、ＩＤデータがＩＤ０，ＩＤ１，ＩＤＰの３バイトからなり、最初の２バイトのデータＩＤ０およびＩＤ１に対して、最後の３バイト目のデータＩＤＰがパリティであるというエラー訂正構造については、オーディオデータおよびビデオデータのブロックで共通である。したがって、後述するように、ＩＤデータについてのパリティチェックは、オーディオデータ、ビデオデータ、サブコードデータで共通化することが可能である。
【００４５】
しかし、ＩＤデータバイトＩＤ０およびＩＤ１の内容が、サブコードの場合には、オーディオデータおよびビデオデータとは、次のように異なる。すなわち、図６に示すように、最初のＩＤデータの１バイト目のデータＩＤ０のＭＳＢは、サブコードデータのフラグとされる。次の３ビットは、これがサブコードデータであることを示すアプリケーションデータ、あるいはタグとされている。
【００４６】
そして、バイトデータＩＤ０の下位４ビットと、バイトデータＩＤ１の上位４ビットとで、絶対トラックナンバーが表わされる。さらに、バイトデータＩＤ１の下位４ビットは、このサブコードデータブロックのブロックナンバーとして用いられる。
【００４７】
また、サブコードデータ自身は、オーディオデータおよびビデオデータと同様に、エラー訂正用のパリティデータが付加される構造となっており、１ブロック当たりのバイト長は１２である。絶対トラックナンバーは、３ブロックのサブコードブロックで一つのトラックナンバーを表わす。つまり３バイトで一つの絶対トラックナンバーを表現している。
【００４８】
以上のように、オーディオデータとビデオデータとは、同期符号パターンが同一であるとともに、１トラックについての複数のブロックの構造が同様の構造となっているため、同期符号検出処理、ＩＤデータ処理、エラー訂正処理は全く共通に行なうことができるが、サブコードデータの同期パターン検出処理およびＩＤデータ処理は、オーディオデータやビデオデータと共通に行なうことができず、後述するようにして切り換えて行なわれる。
【００４９】
次に、オーディオデータおよびビデオデータと、サブコードデータについての、同期符号検出処理およびＩＤデータ処理についての切り換えの処理の幾つかの実施例を説明する。
【００５０】
図１は、トラック上の記録エリアに応じて、同期符号検出処理およびＩＤデータ処理を切り換える場合の実施例である。前述したように、この例は、デジタルＶＴＲの再生系の例であり、オーディオデータ、ビデオデータおよびサブコードデータは、磁気テープに対してシリアルデータとして記録されている。
【００５１】
そして、再生時においては、２個の回転ヘッドＨＡおよびＨＢが、図示しないトラッキングサーボ回路によりトラッキング制御が行なわれて、記録時と同じアジマスのトラックＴＡおよびＴＢを交互に走査することにより、磁気テープから信号が抽出される。
【００５２】
ヘッドＨＡおよびＨＢによって、磁気テープからピックアップされた信号は、アンプ１１を通じてＡ／Ｄコンバータ１２に供給されて、デジタル化される。このＡ／Ｄコンバータ１２の出力がデータ再生回路１３に供給され、再生信号から２値のデジタルデータが再生される。
【００５３】
このデータ再生回路１３の出力信号は、同期符号検出処理およびＩＤデータ処理を行なう回路部１００に供給される。後述するように、回路部１００では、オーディオデータおよびビデオデータについてのエラー訂正処理と、サブコードデータについてのエラー訂正処理も行なう。この回路部１００の出力信号は、ＴＢＣ１４に供給されて時間軸誤差補正が行なわれた後、デジタル処理回路１５に供給され、逆ＤＣＴにより圧縮されていた信号が伸長され、出力端子１６から出力される。
【００５４】
回路部１００において、同期符号検出処理およびＩＤデータ処理の切り換えを行なうための記録エリア信号は、次のようにして形成される。すなわち、回転ヘッドＨＡおよびＨＢを駆動するモータ１７の回転軸に取り付けられたパルス発生器１８からの、回転ヘッドＨＡおよびＨＢの基準回転位相を示すパルスＰＧが、エリア信号生成回路１０１に供給される。
【００５５】
この場合、パルス信号ＰＧは、一回転に１個あるいは複数個得られるものであって、図示しない位相サーボ回路により、所定の外部基準信号に対して、このパルス信号ＰＧが同期するように制御され、回転ヘッドＨＡおよびＨＢが、パルスＰＧに対して、記録時と同様の回転位相をもって回転するように制御されている。
【００５６】
したがって、このパルスＰＧあるいは前記外部基準信号は、記録エリアに対して一定の位相関係を有する。エリア信号生成回路１０１は、この例では、パルスＰＧから回転ヘッドＨＡ、ＨＢの一回転について、さらに微細に分割した位置信号を形成し、その位置信号から、オーディオデータ記録エリアＡＲ１、ビデオデータ記録エリアＡＲ２およびサブコードデータ記録エリアＡＲ３を、それぞれ示すエリア信号を形成する。なお、外部基準信号からこのエリア信号を形成する事もできる。
【００５７】
データ再生回路１３からのデジタルデータは、同期符号検出回路１０２に供給され、同期符号パターンとの一致により、同期符号の検出が行なわれる。この同期符号検出回路１０２には、エリア信号生成回路１０１からの記録エリア信号が供給され、オーディオデータ記録エリアＡＲ１およびビデオデータ記録エリアＡＲ２では、これらのブロックに共通の同期符号パターンが、パターンマッチングのための比較基準パターンとして選択され、サブコードデータ記録エリアＡＲ３では、サブコードのブロックの同期符号パターンが、パターンマッチング用の比較基準パターンとして選択されるように切り換えられる。
【００５８】
そして、この実施例の場合には、ブロック同期符号がドロップアウトにより消失したり、いわゆるビットスリップにより疑似同期符号が発生した場合を考慮して、常に正しい同期符号検出信号が得られるように工夫されている。ステートマシーン１０３および同期符号位置予測回路１０４は、このためのものである。
【００５９】
すなわち、同期符号検出回路１０２からの同期符号検出信号ＳＹＮＣは、同期符号位置予測回路１０４に供給されるとともに、ステートマシーン１０３に供給される。同期符号位置予測回路１０４は、同期符号が到来する周期ごとに、キャリーパルスを発生するように構成されたカウンタからなり、同期符号検出回路１０２からの検出パルスＳＹＮＣによりカウンタのプリセット値がロードされる構成とされている。
【００６０】
そして、オーディオデータブロックおよびビデオデータブロックの部分では、９０バイト周期でキャリーパルスを発生するカウンタとして動作し、サブコードデータブロックの場合には、１２バイト周期でキャリーパルスを発生する回路となる。
【００６１】
このため、この同期符号位置予測回路１０４には、エリア信号生成回路１０１からのエリア信号が供給され、カウンタのプリセット値が、それぞれ変更され、前述したような周期のキャリーパルスが発生するように切り換えられる。この同期符号位置予測回路１０４からのキャリーパルスは、次に同期符号検出タイミングで得られる予測パルスＦＷＳＹＮＰである。このパルスＦＷＳＹＮＰは、ステートマシーン１０３に供給される。
【００６２】
なお、オーディオデータおよびビデオデータの場合には、プリシンクブロックおよびポストシンクブロックで６バイト周期となるが、これは、後述するＩＤ処理回路の出力信号を用いることにより、前述と同様に、同期符号位置予測回路１０４を構成するカウンタのプリセット値が切り換えられて、これらプリシンクブロックおよびポストシンクブロックの部分では、パルスＦＷＳＹＮＰは６バイト周期の信号とされるようにされている。
【００６３】
ステートマシーン１０３では、同期符号検出回路１０２からの同期符号検出パルスＳＹＮＣと、同期符号位置予測回路１０４からの予測パルスＦＷＳＹＮＰとから、正しいと推測される同期符号検出パルスＳＹＮＣを出力する。
【００６４】
このステートマシーン１０３の構成および動作について、次に説明する。
このステートマシーン１０３は、予測回路１０４からの予測パルスＦＷＳＹＮＰを用いて、同期符号検出回路１０２からの同期符号検出パルスＳＹＮＣの信頼性を検査する機能を有する。予測回路１０４からの予測パルスＦＷＳＹＮＰは、一つ前の同期符号検出パルスＳＹＮＣから予測されたものであり、両者が一致するということは、その同期符号検出パルスＳＹＮＣおよび一つ前の同期符号検出パルスＳＹＮＣの信頼性が高いことを示している。こうして、予測回路１０４からのパルスＦＷＳＹＮＰと、検出回路１０２からの検出パルスＳＹＮＣとの関係を調べることで、検出回路１０２からの同期符号検出パルスＳＹＮＣの信頼性を検査することができる。
【００６５】
この実施例では、ステートマシーン１０３の２つの入力パルスＳＹＮＣ、ＦＷＳＹＮＰの関係を表わす指標として、次に示すような４つのモードを持つステートマシーンを利用する。
【００６６】
「モード」
▲１▼サーチモード（以下、Ｓモードという）；検出回路１０２で同期符号が検出されていない待ち状態
▲２▼ヴェリファイモード（Ｖモードと、以下称する）；検出回路１０２で一つの同期符号が検出された不確定状態
▲３▼ホールドモード（Ｈモードと、以下称する）；検出回路１０２からのパルスＳＹＮＣと予測回路１０４からのパルスＦＷＳＹＮＰが一致した安定状態
▲４▼コーションモード（以下、Ｃモードという）；検出回路１０２で１個の同期符号が抜けた場合の警告状態。
【００６７】
「モード遷移条件」
マッチ；検出回路１０２からのパルスＳＹＮＣと予測回路１０４からのパルスＦＷＳＹＮＰが一致した場合
ミスマッチ；検出回路１０２からのパルスＳＹＮＣと予測回路１０４からのパルスＦＷＳＹＮＰが不一致の場合。
【００６８】
図７および図８は、ステートマシーン１０３の各モードおよびその遷移を説明するための図で、ステートマシーン１０３では、初期状態では、Ｓモードに設定しておき、検出回路１０２からのパルスＳＹＮＣの発生を待つ。検出回路１０２で同期符号が検出され、検出パルスＳＹＮＣが発生すると、ステートマシーン１０３はＶモードに遷移する。
【００６９】
そして、ステートマシーン１０３では、Ｖモードのときに検出回路１０２で同期符号の検出パルスＳＹＮＣが得られると、予測回路１０４からの予測パルスＦＷＳＹＮＰとの検査が行なわれる。この検査の結果、ミスマッチの場合、検出回路１０２からの同期符号検出パルスＳＹＮＣの信頼性が薄いので、Ｓモードに戻り、検出回路１０２での新たな検出パルスＳＹＮＣを待つ。検査の結果、マッチする場合には、ＶモードからＨモードに遷移する。これは、検出回路１０２で２回連続して同期符号が正しく検出されると、安定状態Ｈモードに遷移することを示す。
【００７０】
ステートマシーン１０３は、Ｈモードのときには、予測回路１０４からのパルスＦＷＳＹＮＰと同期符号検出回路１０２からのパルスＳＹＮＣとの検査の結果、マッチする限り、Ｈモードを保持する。しかし、データの終わりや、何らかのエラーで同期符号が抜けたとき、ミスマッチ状態になるため、Ｃモードに移行する。このＣモードで、さらにミスマッチになると、Ｓモードに移る。つまり、１個の同期符号が抜けただけでは、Ｃモードに移るが、２個続けて同期符号が抜けると、初期状態であるＳモードに戻ることになる。もちろん、Ｃモードのときマッチすれば、Ｈモードに復帰できる。これにより、エラー等により、単に１個の同期符号が抜けた場合に、次の同期符号が正しく得られれば、Ｈモードに即座に復帰できることを示している。
【００７１】
ステートマシーン１０３では、疑似同期パルスを除去する機能も有する。すなわち、同期符号検出回路１０２での検出パルスＳＹＮＣの中には、疑似同期符号が含まれている可能性がある。これは、予測回路１０４からのパルスＦＷＳＹＮＰと検出回路１０２からのパルスＳＹＮＣとを比較して、予定されていないときに検出回路１０２からパルスが発生したとき、疑似パルスとして検出し、それを排除する。この場合には、予測回路１０４からのパルスＦＷＳＹＮＰを同期検出パルスとしてステートマシーン１０３より出力する。
【００７２】
すなわち、予測回路１０４からのパルスＦＷＳＹＮＰの信頼性が高くなっているＨモードおよびＣモードでは、予測回路１０４からのパルスＦＷＳＹＮＰと一致しない検出回路１０２からのパルスＳＹＮＣを無視することにより、前述の機能を実行することができる。
【００７３】
また、ステートマシーン１０３は、オーディオデータの記録エリアＡＲ１が終了して、次のビデオデータの記録エリアＡＲ２の再生に移る際、さらには、ビデオデータの処理が終了してサブコードデータの記録エリアＡＲ３の再生に移る際、それぞれポストシンクブロックの検出を行なったタイミングでリセットされ、速やかに、次の同期符号の検出動作に備えるような構成をとっている。
【００７４】
ステートマシーン１０３においては、上述した４種のモードの中で、ＨモードとＨモードになる前のＶモードが、同期符号を正しく検出できた状態を表わすモードである。そこで、このＨモードおよびＶモードにおいて、検出回路１０２からの検出パルスＳＹＮＣと、予測回路１０４からのパルスＦＷＳＹＮＰとの論理積をとったものが、このステートマシーン１０３から、正しい同期符号検出パルスＳＹＮＰとして出力される。
【００７５】
以上のようにして検出されたステートマシーン１０３からの同期符号検出パルスＳＹＮＣと、同期符号検出回路１０２で検出されたブロックごとのデータＤＴは、デ・ランダマイズ回路１０５に供給される。この回路１０５では、記録時のランダマイズ回路により、ばらばらにされたバイト単位のデータが、元の順番のバイト単位のデータに再構成される。バイト単位の処理は、ステートマシーン１０３からのブロック同期符号検出パルスＳＹＮＰに基づいて行なわれることになる。
【００７６】
このデ・ランダマイズ回路１０５からのデータＤＴおよび同期符号検出パルスＳＹＮＰは、ＩＤデータ処理回路１０６に供給される。このＩＤデータ処理回路１０６においては、まず、そのパリティチェック回路１０７において、３バイトのＩＤデータのうちの最後の１バイトデータＩＤＰを用いて、その前の２つのＩＤバイトデータＩＤ０およびＩＤ１についてのパリティチェックが行なわれる。
【００７７】
そして、パリティチェックの結果、エラーの生じているＩＤデータは、そのバイト単位のデータについてエラーフラグＥＦを立てる。検出されたＩＤデータＤｉと、同期符号検出パルスＳＹＮＰとエラーフラグＥＦは、連続性チェック回路１０８に供給される。連続性チェック回路１０８では、パリティチェックによりＩＤデータにエラーがあると検出された場合に、その前後のＩＤデータに基づいて、シーケンスナンバーやトラックナンバーが予測される。
【００７８】
すなわち、前述したように、シーケンスナンバー、トラックナンバーやブロックナンバーは、連続するものであり、その前後の、これらのデータが正しく再生されれば、エラーを生じているＩＤデータに対して、正しいトラックナンバーやシーケンスナンバーが再生されるものである。
【００７９】
こうして、ＩＤデータ処理回路１０６で得られたＩＤデータと、同期符号検出パルスＳＹＮＰとエラーフラグＥＦの情報は、ＩＤ修正回路１１１に供給される。ＩＤ修正回路１１１では、それまでの履歴から、どのくらい連続するデータが続いたか、あるいは不連続が続いたかをカウンターで計測することで、履歴の作成を行なう。そして、その作成した履歴から、連続性がある場合には、信頼性が高いとして、ＩＤデータ処理回路１０６からのＩＤデコードデータをそのまま用い、不連続性となっている場合には、このＩＤ修正回路１１１において、予測から得られるＩＤデータを出力するようにする。
【００８０】
このＩＤ修正回路１１１からのＩＤデコードデータと、同期符号検出パルスおよびＩＤについてのエラーフラグはマルチプレックス回路１１２に供給されるとともに、制御部への出力回路１１３に供給される。制御部への出力回路１１３では、このＩＤデータから、シーケンスナンバー、トラックナンバーおよび垂直同期信号などの信号を形成し、制御部に供給する。
【００８１】
なお、パリティチェック回路１０７からのＩＤデータは、プリシンクブロック検出回路１０９に供給され、プリシンクブロックのＩＤデータが検出されると、その検出出力が同期符号位置予測回路１０４に供給される。これにより、同期位置予測回路１０４では、ブロック長が６バイトの予測位置を出力するようになる。
【００８２】
この例において、パリティチェック回路１０７からの信号を用いてプリシンクブロックの検出を行なうようにしたのは、プリシンクブロックは、前述したように、各位置トラックに記録されるオーディオデータおよびビデオデータの先頭の部分にあり、なるべく早くその情報をフィードバックさせる必要があるためである。
【００８３】
また、連続性チェック回路１０８からのＩＤデータが、ポストシンクブロック検出回路１１０に供給される。そして、ポストシンクブロックが検出されると、その検出出力は、同期符号予測回路１０４に供給されて、予測バイト長が６バイトに変更される。また、検出回路１１０の検出出力は、ステートマシーン１０３に、その検出出力がリセット信号として供給され、ステートマシーン１０３は、Ｓモードの状態にリセットされる。
【００８４】
このように、ステートマシーン１０３のリセットのための信号の生成のために連続性チェック回路１０８の出力ＩＤデータを用いたのは、連続性チェック回路１０８からのＩＤデータの方が、パリティチェック回路１０７からのＩＤデータよりも信頼性が高いからである。
【００８５】
さらに、この例においては、デ・ランダマイズ回路１０５からのデータおよび同期符号検出パルスＳＹＮＰが、オーディオおよびビデオデータエラー訂正処理回路１１４に供給されるとともに、サブコードデータエラー訂正処理回路１１５に供給され、それぞれのデータについてのパリティを用いて、エラー訂正処理が行なわれる。
【００８６】
そして、それぞれエラー訂正の行なわれたオーディオデータ、ビデオデータおよびサブコードデータは、マルチプレックス回路１１２に供給される。マルチプレックス回路１１２では、エリア信号生成回路１０１からのエリア信号ＳＡに応じて、いずれからの信号を選択して出力するかが決定される。なお、遅延回路１１６は、オーディオデータおよびビデオデータとサブコードデータとの同期をとるためのものである。
【００８７】
エリア信号生成回路１０１からのエリア信号ＳＡは、また、連続性チェック回路１０８に供給されて、オーディオデータおよびビデオデータの連続性のチェックと、サブコードデータの連続性のチェック時の処理の切り換えが行なわれる。これは、前述したように、ＩＤデータＩＤ０とＩＤ１とのデータの構造が、これらデータ間で異なっているため、連続性チェックの仕方が、オーディオデータおよびビデオデータと、サブコードデータとでは、異なっているためである。なお、これらのＩＤデータ処理は、ソフトウエアあるいはハードウエアのいずれでもよい。
【００８８】
エリア信号生成回路１０１からのエリア信号ＳＡは、また、ＩＤ修正回路１１１にも供給される。これも、サブコードデータと、オーディオおよびビデオデータとではＩＤデータについての修正動作が異なるため、この修正処理を切り換えるためである。
【００８９】
さらに、エリア信号生成回路１０１からのエリア信号ＳＡは、制御部への出力回路１１３にも供給され、それぞれ、ヘッドが走査している記録エリアが、いずれのデータエリアであるかにより、この回路１１３から制御部に供給する信号を切り換えるようにするものである。
【００９０】
以上のようにして、この実施例においては、エリア信号生成回路１０１からのエリア信号ＳＡによって、同期符号検出処理、ＩＤデータ処理を、オーディオデータ、ビデオデータおよびサブコードデータで切り換えることができ、それぞれの信号に対して、同期検出回路とＩＤデータ処理回路を別々に設ける場合に比べて構成が簡単になる。なお、ＩＤデータのパリティチェック回路１０７は、オーディオおよびビデオデータ、さらにサブコードデータで、全く共用とすることができる。
【００９１】
また、この例の場合には、プリシンクブロック検出回路１０９およびポストシンクブロック検出回路１１０により、ステートマシーン１０３のリセットを行ない、また、同期符号位置予測回路１０４の予測符号周期を切り換えるようにしたので、それぞれのデータにおいて、バイト長が、プリシンクブロック、ポストシンクブロックと、他のデータブロックとで異なっていても、それに容易に対応することができる。
【００９２】
次に、第２の実施例について説明する。
上述の第１の実施例では、ステートマシーン１０３のリセットと同期符号位置予測回路１０４の予測周期の変更を、ポストシンクブロック検出回路１１０の検出出力に基づいて行なうようにしているが、第２の実施例は、このポストシンクブロック検出回路１１０でポストシンクブロックを検出できない場合を考慮して、確実にステートマシーン１０３のリセットおよびポストアンブルブロック部分の予測周期の変更を行なえるようにしたものである。
【００９３】
すなわち、図９は、この第２の実施例のブロック図であり、この第２の実施例においては、連続性チェック回路１０８からのＩＤデータは、ポストシンクブロック検出回路１１０に供給されるとともに、エリア終了予測回路１２０に供給される。このエリア終了予測回路１２０は、オーディオデータのポストシンクブロックとビデオデータのポストシンクブロックの位置を、それぞれ予測し、その予測結果をポストシンクブロック検出回路１１０に供給するようにしている。
【００９４】
そして、ポストシンクブロック検出回路１１０では、このポストシンクブロック検出回路１１０のみでは、ポストシンクブロックのブロックナンバーを検出しないときであっても、終了予測回路で、その前のブロックナンバーから各エリアの終了位置を予測し、その予測結果にしたがって、ポストシンクブロック検出回路から出力信号を得、ステートマシーン１０３のリセットおよび予測回路１０４の予測周期の変更を行なうようにするものである。
【００９５】
上述した第１および第２の実施例においては、ＩＤデータの処理の間にオーディオデータおよびビデオデータについてのパリティ処理、さらにはサブコードデータについてのパリティ処理を行なうことができ、ＴＢＣ回路１４以降で改めてエラー訂正処理を行なう場合に比べて、エラー訂正に要する時間が不要になることになり、処理が高速になるものである。
【００９６】
以上の例は、外部基準信号あるいはそれに同期する信号に基づいて、オーディオデータ、ビデオデータおよびサブコードデータについての記録エリアを示す信号を形成し、その記録エリア信号により同期符号検出処理およびＩＤデータの処理を切り換えるようにした場合であり、外部基準信号が高精度で得られない場合であって、オーディオデータ、ビデオデータおよびサブコードデータの記録エリア間のガードバンドが比較的狭い場合に、若干、問題がある。
【００９７】
そこで、以下に示す実施例においては、データ自身の情報から、それぞれのデータが、いずれの種類のデータであるかを識別し、その識別出力に基づいて、同期符号検出処理およびＩＤデータ処理を切り換えるようにする。
【００９８】
すなわち、このデジタルＶＴＲの例の場合においては、ＩＤデータには、それが、いずれの種類であるかを示すアプリケーションデータが含まれるとともに、ＩＤデータを復号化することにより得られる、ブロックナンバーなどのデータによって再生データがオーディオデータかビデオデータかがわかり、ポストシンクブロック位置により記録エリアの切り替わりがわかる。そこで、これらのデータを用いて、いずれの種類のデータの再生を開始するかを判別して、前記処理の切り換えをすることができるものである。
【００９９】
図１０の実施例においては、このため、エリア信号形成回路１０１は用いられない。そして、回路部１００は、図１０の通りに構成される。すなわち、連続性チェック回路１０８の出力データは、データ判別回路１３０に供給される。このデータ判別回路１３０は、前述したポストシンクブロック検出回路１１０を含み、かつ、ＩＤデータの連続性やアプリケーションデータなどから、再生しているデータが、オーディオデータかビデオデータか、あるいはサブコードデータかを判別する。
【０１００】
なお、この判別回路１３０は、ブロックナンバーから、ポストシンクブロックの位置を予測して、エリアＡＲ１およびＡＲ２の終了位置を予測できる機能を有している。
【０１０１】
また、ポストシンクブロックの検出出力によりエリアＡＲ１、ＡＲ２、ＡＲ３の切り替わりを検出し、また、サブコードブロックの最後のブロックで１トラックの終りを検出し、次のトラックのエリアＡＲ１に備える。こうして、判別回路１３０からは各エリアＡＲ１、ＡＲ２、ＡＲ３に対応した判別信号ＳＡＡが得られる。
【０１０２】
そして、その判別信号ＳＡＡが、同期符号検出回路１０２、同期符号位置予測回路１０４、連続性チェック回路１０８、ＩＤ修正回路１１１、マルチプレックス回路１１２および回路１１３に、それぞれ供給されて、各エリアからのデータに応じて切り換え処理が行なわれる。
【０１０３】
このデータ判別回路１３０は、前述と同様にして、連続性チェック回路からのＩＤデータからオーディオデータの記録エリアＡＲ１、ビデオデータの記録エリアＡＲ２、サブコードデータの記録エリアＡＲ３を予測し、各記録エリアの先頭部分から切り換え信号を変更するようにすることができる。
【０１０４】
このため、オーディオデータ記録エリアＡＲ１とビデオデータ記録エリアＡＲ２との間のマージンおよびビデオデータ記録エリアＡＲ２とサブコードデータの記録エリアＡＲ３からのガードバンドマージンが小さいときであっても、十二分に切り換えタイミングを得ることができる。
【０１０５】
例えば、オーディオデータの記録エリアからビデオデータの記録エリアに移る場合に、再生信号であるＲＦ信号が、図１１Ａのように得られているとした場合に、同期符号検出回路１０２からの同期符号検出パルスＳＹＮＣは、同図Ｂのように得られることになる。このため、ステートマシーン１０３でのモードは、同図Ｃ、Ｄに示すように、初めはサーチ（Ｓ）モードからベリファイ（Ｖ）モードに移り、２つ以上の同期符号検出パルスが得られると、ホールド（Ｈ）モードに移る。そして、記録エリアの最後尾である位置では、ＲＦ信号がなくなるため、同期符号検出パルスが得られなくなり、ＨモードからＣモードに変化する。
【０１０６】
従来は、このＣモードの後はパルスＦＷＳＹＮＰの時点でサーチモードに変化する。そして、次の記録エリアのＲＦ信号の先頭のブロック同期符号が得られる時点からＶモードに移り、さらにＨモードに移るような変化をする。つまり、従来は、同期符号検出パルスに同期して前記モード変化が行なわれるようになるため、図１１Ａのように、記録エリア間のガードバンドのマージンが大きいときには問題にならないが、図１２Ａに示すように、ガードバンドのマージンが小さいときには、次の記録エリアのＲＦ信号が到来しても、即座にＶモードに移ることはなく、一旦、コーション（Ｃ）モードから次の同期検出パルスが得られた後にＳモードに移るため、図１２Ｃに示すように、次の記録エリアの最初の部分は、サーチモードになってしまい、データが再生できない恐れがある。
【０１０７】
これに対し、上述した実施例においては、記録エリアのデータの終わりをポストシンクブロック検出回路１１０によって行なっており、この時点で、ステートマシーンをリセットし、サーチ（Ｓ）モードにするようにしているため、次のデータの記録エリアの先頭で同期符号検出パルスが得られると、図１１Ｄおよび図１２Ｄに示すように、即座にベリファイ（Ｖ）モードに移る。
【０１０８】
つまり、データ間のマージンの部分で、コーション（Ｃ）モードから即座にデータの終わり検出出力によってサーチ（Ｓ）モードにリセットされているため、次の記録エリアの先頭の同期符号検出パルスによってベリファイモードに移ることになる。したがって、記録エリア間のガードバンドマージンが狭い場合であっても、確実に切り換えを行なうことができることになる。
【０１０９】
次に、図１３は、さらに、この発明の他の実施例である。前述した図１０の実施例によれば、比較的、高精度で切り換えができるため、良好な再生処理を行なうことができるが、変速再生時は、若干、問題となる。
【０１１０】
これに対して、外部基準信号から得た記録エリア信号ＳＡは、変速再生時には、その再生速度を考慮することによって、若干、記録エリアを補正するだけで、ほぼ再生データに応じた記録エリア信号を生成することができる。そこで、この実施例では、変速モード時とノーマル再生時とで、切り換え信号を変えるようにしている。
【０１１１】
すなわち、図１３は、この場合の実施例のブロック図で、この実施例においては、パルス発生器１８からの信号が、エリア信号生成回路１４１に供給されるとともに、システムコントロール回路２００からのモード切り換え信号ＭＯＤＥが、このエリア信号生成回路１４１に供給される。このモード切り換え信号ＭＯＤＥは、変速再生時の再生速度を示す信号を含んでおり、エリア信号生成回路１４１は、その変速モードのテープ速度に応じて、若干、記録エリア信号を補正して出力する。
【０１１２】
そして、このエリア信号生成回路１４１からのエリア信号ＳＡａが、スイッチ回路１４２の一方の入力側に供給される。また、図１０で説明した実施例のデータ判別回路１３０からのＩＤデータから得られたエリア信号ＳＡＡが、このスイッチ回路１４２の他方の入力端に供給される。そして、システムコントロール回路２００からのモード切り換え信号ＭＯＤＥにより、ノーマル再生時は、データ判別回路１３０からの信号ＳＡＡを選択し、変速再生時は、エリア信号生成回路１４１からのエリア信号ＳＡａを得るように、スイッチ回路１４２は切り換えられる。
【０１１３】
そして、このスイッチ回路１４２から得られた信号が、同期符号検出回路１０２、同期符号位置予測回路１０４、ＩＤデータ処理回路１０６の連続性チェック回路１０８、ＩＤ修正回路１１１、マルチプレックス回路１１２および制御部への出力回路１１３に供給され、それぞれの切り換え制御が行なわれるものである。
【０１１４】
この例の場合には、ノーマル再生時だけでなく、変速再生時においても、良好に各再生データの種類に応じた適切な同期符号検出処理およびＩＤデータ処理を行なうことができ、非常に便利である。
【０１１５】
図１４は、さらに他の実施例のブロック図である。
この実施例では、各記録エリアＡＲ１、ＡＲ２、ＡＲ３からのデータに応じた切り換えをオーディオデータやビデオデータのブロック同期符号パターンと、サブコードデータのブロック同期符号パターンとが異なることを利用して行なうようにする。
【０１１６】
すなわち、この例においては、データ再生回路１３からの再生データは、ブロック同期符号検出回路１５１および１５２に供給される。同期符号検出回路１５１は、オーディオデータおよびビデオデータのブロック同期符号パターンをパターンマッチングにより検出するもので、記録エリアＡＲ１からのオーディオデータのブロック同期符号と、記録エリアＡＲ２からのビデオデータのブロック同期符号を検出したときに検出パルスＳＹＮＣ１を出力する。また、同期符号検出回路１５２は、サブコードデータのブロック同期符号パターンをパターンマッチングにより検出するもので、記録エリアＡＲ３からのサブコードデータのブロック同期符号を検出すると、その検出パルスＳＹＮＣ２を出力する。
【０１１７】
なお、これら同期符号検出回路１５１および１５２は、前述した例のステートマシーンおよび同期符号位置予測回路を含んで構成されており、プリシンクブロック検出回路１０９からの検出信号が同期符号検出回路１５１に供給されると共に、ポストシンクブロック検出回路１１０からの検出信号がこれら同期符号検出回路１５１、１５２に供給されて、前述と同様の切り換え、リセット動作などが行なわれる。
【０１１８】
そして、同期符号検出回路１５１からの再生データＤＴ１および同期符号検出パルスＳＹＮＣ１と、同期符号検出回路１５２からの再生データＤＴ２および同期符号検出パルスＳＹＮＣ２とがセレクタ１５３に、それぞれ供給されると共に、これら同期符号検出回路１５１および１５２からの同期符号検出パルスＳＹＮＣ１およびＳＹＮＣ２がデータ判別回路１５４に供給される。また、ポストシンクブロック検出回路１１０からの検出信号がこのデータ判別回路１５４に供給される。
【０１１９】
データ判別回路１５４では、これに検出パルスＳＹＮＣ１が入力されたときには、再生データの記録エリアがオーディオ記録エリアＡＲ１またはビデオデータ記録ＡＲ２であると判別する。オーディオデータの記録エリアＡＲ１かビデオデータの記録エリアＡＲ２であるかは、ポストシンクブロック検出回路１１０からの検出信号により行なう。また、データ判別回路１５４では、これに検出パルスＳＹＮＣ２が入力されたときには、再生データの記録エリアがサブコードデータの記録エリアＡＲ３であると判別する。
【０１２０】
このデータ判別回路１５４からは、前記のエリア判別に応じて、記録エリアＡＲ１〜ＡＲ３に対応したエリア判別信号ＳＡＣを出力する。そして、このエリア判別信号ＳＡＣがセレクタ１５３に供給されて、回転ヘッドの走査位置が、記録エリアＡＲ１およびＡＲ２のときには、セレクタ１５３は、同期符号検出回路１５１からのデータＤＴ１および同期符号検出パルスＳＹＮＣ１を選択し、記録エリアＡＲ３であるときには、セレクタ１５３は、同期符号検出回路１５２からのデータＤＴ２および同期符号検出パルスＳＹＮＣ２を選択する。そして、セレクタ１５３で選択されたデータＤＴおよび同期符号検出パルスＳＹＮＣは、デ・ランダマイズ１０５に供給される。
【０１２１】
データ判別回路１５４からのエリア判別信号ＳＡＣは、ＩＤデータ処理回路１０６の連続性チェック回路１０８、ＩＤ修正回路１１１、マルチプレックス回路１１２、制御部への出力回路１１３に供給されて、前述したように、オーディオデータ、ビデオデータと、サブコードデータとで各回路での処理が、各データに応じたものに切り換えられる。
【０１２２】
以上は、デジタルＶＴＲに、この発明を適用した場合について説明したが、記録媒体が磁気テープではなく、光ディスクや磁気ディスク、その他カードなどの記録媒体についても、この発明が適用できることはいうまでもない。
【０１２３】
また、以上の例では、オーディオデータとビデオデータとは同一の同期符号処理およびＩＤデータ処理で済む場合であったが、これらの信号に対して同期パターンが変わっていたり、そのデータ構造が変わっていたり、さらにはＩＤデータの内容が異なっている場合においても、前述した切り換え信号によって、それに対処できることはもちろんである。
【０１２４】
【発明の効果】
以上説明したように、この発明によれば、複数種類のデータが、それぞれ別々の記録エリアに記録されている場合に、外部基準信号から各種類のデータの記録エリアを示す信号を形成し、その記録エリア信号によって、同期符号検出処理およびＩＤデータ処理を切り換えるようにしたので、各種類のデータに、それぞれ対応して同期検出回路やＩＤデータ処理回路を並列に用いる場合に比べて、単に同期パターンの切り換えやＩＤデータ処理の切り換えを行なうだけで処理を行なうことができ、回路規模の増大を抑えることができる。
【０１２５】
また、記録データに含まれる内容から、各種類のデータの記録エリアを検知して、その検知出力により、同期符号検出処理およびＩＤ処理を切り換えるようにした場合には、より詳細な切り換えを行なうことができ、記録データ間のガードバンドマージンが小さい場合であっても、確実に切り換えを行なうことができるという効果がある。
【図面の簡単な説明】
【図１】この発明によるデジタル信号の再生装置の一実施例のブロック図である。
【図２】図１の実施例の再生装置で再生される磁気テープ上の記録トラックパターンを説明するための図である。
【図３】図１の実施例におけるデジタル信号のブロック化データのデータ構造を説明するための図である。
【図４】図１の実施例におけるデジタル信号のブロック化データのデータ構造を説明するための図である。
【図５】図１の実施例におけるデジタル信号のブロック化データのデータ構造を説明するための図である。
【図６】図１の実施例におけるデジタル信号のブロック化データのデータ構造を説明するための図である。
【図７】図１の実施例における同期符号検出動作を説明するための図である。
【図８】図１の実施例における同期符号検出動作を説明するための図である。
【図９】この発明によるデジタル信号の再生装置の第２の実施例のブロック図である。
【図１０】この発明によるデジタル信号の再生装置の第３の実施例の要部のブロック図である。
【図１１】図１０の第３の実施例の動作を説明するための図である。
【図１２】図１０の第３の実施例の動作を説明するための図である。
【図１３】この発明によるデジタル信号の再生装置の第４の実施例の要部のブロック図である。
【図１４】この発明によるデジタル信号の再生装置の第５の実施例の要部のブロック図である。
【符号の説明】
１０    磁気テープ
１３    データ再生回路
１０１  エリア信号生成回路
１０２  同期符号検出回路
１０３  ステートマシーン
１０４  同期符号位置予測回路
１０６  ＩＤデータ処理回路
１１１  ＩＤ修正回路
１１２  マルチプレックス回路
１２０  エリア終了予測回路
１３０  データ判別回路
１４１  エリア信号生成回路
１４２  ノーマルモードと変速再生モードとで切り換えられるスイッチ回路
１５１  オーディオデータ、ビデオデータのブロック同期符号検出回路
１５２  サブコードデータのブロック同期符号検出回路
１５３  セレクタ
１５４  データ判別回路
【図１】
0003565286.tif 000002
【図２】
0003565286.tif 000003
【図３】
0003565286.tif 000004
【図４】
0003565286.tif 000005
【図５】
0003565286.tif 000006
【図６】
0003565286.tif 000007
【図７】
0003565286.tif 000008
【図８】
0003565286.tif 000009
【図９】
0003565286.tif 000010
【図１０】
0003565286.tif 000011
【図１１】
0003565286.tif 000012
【図１２】
0003565286.tif 000013
【図１３】
0003565286.tif 000014
【図１４】
0003565286.tif 000015